(57)【特許請求の範囲】
【請求項１】
互いに通信可能な一の電話装置と他の電話装置とサーバとからなる電話システムにおいて，
上記一の電話装置が，
電話番号を入力する電話番号入力手段，および
上記電話番号入力手段から入力された電話番号によって特定される他の電話装置を発呼する発呼手段を備え，
上記サーバが，
上記一の電話装置に対応して，少なくとも画像データを記憶するデータ記憶手段，ならびに
上記一の電話装置の上記発呼手段による発呼に応じて上記データ記憶手段に記憶されているデータのうち少なくとも上記一の電話装置に対応する画像データを上記他の電話装置に送信する第１のデータ送信手段を備え，
上記他の電話装置が，
画像データによって表される画像を出力する出力手段，ならびに
上記出力手段による上記画像の出力ののち，上記一の電話装置の上記発呼手段による発呼に応答する着信手段，
を備え，
上記一の電話装置が，
被写体を撮像し，被写体像を表す画像データを出力する撮像回路，
上記発呼手段による発呼に伴い少なくとも上記撮像回路から出力される被写体像を表す画像データを，発呼のたびに上記サーバに送信する第２のデータ送信手段をさらに備え，
上記サーバが，
上記一の電話装置の第２のデータ送信手段から送信された，上記被写体像を表す画像データを受信する第１の受信手段をさらに備え，
上記サーバの上記記憶手段が，上記第１の受信手段により受信された上記被写体像を表す画像データを，上記一の電話装置に対応して記憶するものであり，
上記第１のデータ送信手段が，上記一の電話装置による上記他の電話装置の発呼のときに上記一の電話装置から送信され，上記サーバの上記記憶手段に記憶された上記被写体像を表す画像データを上記他の電話装置に送信するものであり，
上記他の電話装置が，
上記サーバの上記第１のデータ送信手段から送信された上記被写体像を表す画像データを受信する第２の受信手段をさらに備え，
上記他の電話装置の上記出力手段が，上記第２の受信手段により受信された画像データによって表される被写体像を表わす画像を出力するものである，
電話システム。
【請求項２】
上記サーバが，上記第１のデータ送信手段を用いて上記被写体像を表す画像データを上記他の電話装置に送信したことにより，上記記憶手段に記憶されている上記一の電話装置に対応して記憶されている上記被写体像を表す画像データを消去するデータ消去制御手段をさらに備えている請求項１に記載の電話システム。
【請求項３】
上記他の電話装置の出力手段が，
画像データによって表される画像を表示する表示装置である，
請求項１に記載の電話システム。
【請求項４】
被写体を撮像し被写体像を表す画像データを出力する撮像回路を備えた一の電話装置から発呼のたびに送信される上記被写体像を表す画像データを受信する受信手段，
上記一の電話装置に対応して，少なくとも上記受信手段により受信した上記被写体像を表す画像データを記憶するデータ記憶手段，ならびに
上記一の電話装置による他の電話装置への発呼に応じて，その発呼のときに上記一の電話装置から送信され，上記データ記憶手段に記憶された上記一の電話装置に対応する上記被写体像を表す画像データを，着信対象の上記他の電話装置に送信するデータ送信手段，
を備えたサーバ・コンピュータ。
【請求項５】
被写体を撮像し被写体像を表す画像データを出力する撮像回路を備えた一の電話装置から発呼のたびに送信される上記被写体像を表す画像データを受信し，
上記一の電話装置に対応して，少なくとも上記受信した上記被写体像を表す画像データをデータ記憶手段に記憶し，
上記一の電話装置による他の電話装置への発呼に応じて，その発呼のときに上記一の電話装置から送信され，上記データ記憶手段に記憶されている上記一の電話装置に対応する上記被写体像を表す画像データを着信対象の上記他の電話装置に送信する，
サーバ・コンピュータの動作制御方法。
【請求項６】
被写体を撮像し被写体像を表す画像データを出力する撮像回路を備えた一の電話装置と他の電話装置と互いに通信可能であり，記憶手段を備えたサーバ・コンピュータを制御するプログラムであって，
上記一の電話装置から発呼のたびに送信される上記被写体像を表す画像データを受信して，上記一の電話装置に対応して，少なくとも上記受信した上記被写体像を表す画像データを上記サーバ・コンピュータの上記記憶手段に記憶させ，
上記一の電話装置による他の電話装置への発呼に応じて，その発呼のときに上記一の電話装置から送信され，上記記憶手段に記憶されている上記一の電話装置に対応する上記被写体像を表す画像データを，着信対象の上記他の電話装置に送信させるようにサーバ・コンピュータを制御するプログラム。
【請求項７】
請求項６に記載のプログラムを格納した記録媒体。
【発明の詳細な説明】
【０００１】
【技術分野】
この発明は，互いに通信可能な一の電話装置と他の電話装置とサーバとからなる電話システム，そのような電話システムを構成するサーバ・コンピュータおよび電話装置ならびにそれらの動作制御方法に関する。
【０００２】
【発明の背景】
携帯電話を用いて電話をかけると，着信側の携帯電話の表示装置に発呼側の携帯電話の電話番号が表示されるサービスが開始されている。着信側の携帯電話の表示装置に表示されるのは発呼者の携帯電話の電話番号であるから，だれが電話をかけてきたかを一見して把握することはむずかしい。
【０００３】
着信側の携帯電話の内蔵メモリに，ユーザの顔の画像を表す画像データをあらかじめ記憶しておき，発呼があったときに対応する画像データによって表されるユーザの画像を表示するものもある。ユーザの顔が表示されるので，だれから電話がかかってきたかが一見して分かる。
【０００４】
しかしながら，内蔵メモリには多数のユーザの顔を表す画像データを記憶させておく必要があるので，そのメモリ容量が非常に大きくなってしまう。小型の携帯電話には適さない。
【０００５】
【発明の開示】
この発明は，内蔵メモリの容量が少なくとも電話をかけてきた相手を一見して確認できるようにすることを目的とする。
【０００６】
この発明は，互いに通信可能な一の電話装置（携帯電話，ＰＨＳ：personal  handyphone  system，据置型の電話機を含む）と他の電話装置とサーバとからなる電話システムについてのものである。
【０００７】
上記一の電話装置は，電話番号を入力する電話番号入力手段，および上記電話番号入力手段から入力された電話番号によって特定される他の電話装置を発呼する発呼手段を備えている。
【０００８】
また，上記サーバは，上記一の電話装置に対応して，画像データおよび音声データのうち少なくとも一方のデータを記憶するデータ記憶手段，ならびに上記一の電話装置の上記発呼手段による発呼に応じて上記データ記憶手段に記憶されているデータのうち上記一の電話装置に対応する上記他の電話装置に送信する第１のデータ送信手段を備えている。
【０００９】
さらに，上記他の電話装置は，上記サーバの上記第１のデータ送信手段によって送信されたデータによって表される内容を出力する出力手段，ならびに上記出力手段による上記内容の出力および上記一の電話装置の上記発呼手段による発呼に応答して，上記一の電話装置との通信を確立する着信手段を備えている。
【００１０】
上記一の電話装置，上記サーバおよび上記他の電話装置をそれぞれ単独で構成してもよい。
【００１１】
また，この発明は，上記サーバの動作制御方法も提供している。すなわち，この方法は，一の電話装置に対応して画像データおよび音声データのうち少なくとも一方のデータを記憶し，上記一の電話装置による他の電話装置への発呼に応じて，記憶されているデータのうち上記一の電話装置に対応するデータを着信対象の上記他の電話装置に送信するものである。
【００１２】
さらに，この発明は，上記他の電話装置の動作制御方法も提供している。すなわち，この方法は，電話機とサーバと互いに通信可能な電話装置において，上記サーバから送信されたデータによって表される内容の出力および上記電話機による発呼に応答して，上記電話機との通信を確立するものである。
【００１３】
さらに，この発明は，上記サーバおよび他の電話装置を制御するプログラムおよびそのようなプログラムを格納した記録媒体も提供している。
【００１４】
この発明によると，一の電話装置において着信側となる他の電話装置の電話番号が入力される。電話番号が入力されると，他の電話装置が発呼される。すると，サーバに記憶されている画像データおよび音声データのうち，一の電話装置に対応するデータが他の電話装置に送信される。
【００１５】
他の電話装置において，サーバから送信されたデータによって表される内容が出力される。たとえば，サーバから送信されたデータが画像データであれば，その画像データによって表される画像が他の電話装置の表示装置に表示され，サーバから送信されたデータが音声データであれば，その音声データによって表される音声がスピーカから出力される。サーバから送信されたデータによって表される内容が出力されると，一の電話装置からの発呼に応答して一の電話装置との通信が確立する。
【００１６】
この発明によると，上述したようにサーバから送信されたデータによって表される内容が他の電話装置において出力される。出力される内容を，一の電話装置のユーザを特定できるようなものにすることにより，一の電話装置と他の電話装置との接続が確立する前に，発呼した一の電話装置のユーザを確認できる。たとえば，上述したように，サーバから送信されるデータが画像データであれば，一の電話装置のユーザの顔を表す画像が他の電話装置において表示されるであろうし，サーバから送信されるデータが音声データであれば，一の電話装置のユーザの氏名を発する音声が他の電話装置から出力されるであろう。いずれにしても，発呼した一の電話装置のユーザがすぐに分かるようになる。
【００１７】
上記一の電話装置が，上記発呼手段による発呼に応答して画像データおよび音声データのうち少なくとも一方のデータを上記サーバに送信する第２のデータ送信手段を備えてもよい。この場合，上記サーバの上記記憶手段は，上記一の電話装置の上記第２のデータ送信手段から送信されたデータを，上記一の電話装置に対応して記憶するものとなろう。上記一の電話装置から送信されたデータによって表される内容を他の電話装置において出力させることができるようになる。
【００１８】
また，上記サーバから上記他の電話装置に，上記一の電話装置に対応して記憶されているデータの送信後に，その一の電話装置に対応して記憶されたデータを消去するようにしてもよい。一の電話装置を用いて発呼するごとに異なるデータをサーバに送信でき，他の電話装置において出力させることができるようになる
【００１９】
上述したように，上記他の電話装置の出力手段は，音声データによって表される音声を出力するスピーカおよび画像データによって表される画像を表示する表示装置の少なくとも一方でもよい。
【００２０】
【実施例の説明】
図１は，この発明の実施例を示すもので，電話システムの概要である。
【００２１】
電話システムは，主として発呼ユーザの携帯電話１Ａ，着信ユーザの携帯電話１Ｂおよびサーバ37から構成される。
【００２２】
携帯電話１Ａ，１Ｂなどと接続するための多数の無線基地局31，32などが配置されている。これらの無線基地局31，32などは，携帯電話事業者のネットワークに接続されている。携帯電話事業者ネットワークは，ゲートウェイ・サーバ35を介してインターネットと接続されている。インターネットにサーバ37が接続されている。サーバ37は，ＣＤ−ＲＯＭ36に格納されているプログラムをインストールすることにより後述する各種動作を行う。サーバ37には，ＣＰＵ，メモリ，表示装置，通信回路，キーボード，ハードディスク・ドライブなどが含まれているのはいうまでもない。
【００２３】
この実施例においては，発呼ユーザの携帯電話１Ａによって着信ユーザの携帯電話１Ｂが発呼されると，着信ユーザの携帯電話１Ｂの表示装置の表示画面上に発呼ユーザの顔の画像が表示され，かつ発呼ユーザの氏名が音声で出力される。着信ユーザは，携帯電話１Ｂにより応答する前にだれから電話がかかってきたかがすぐに分かる。より詳しくは，以下の説明によって明らかとなろう。
【００２４】
図２は，携帯電話１Ａの電気的構成を示すブロック図である。携帯電話１Ｂも携帯電話１Ａと同じ構成をしている。
【００２５】
携帯電話１Ａには，カード・インターフェイス21が含まれており，このカード・インターフェイス21にメモリ・カード22を接続することができる。メモリ・カード21に携帯電話１Ａの動作プログラムを格納しておき，その動作プログラムをインストールすることにより，後述する処理をさせることができる。もちろん，プログラムをあらかじめインストールさせておいてもよいのはいうまでもない。
【００２６】
また，音声データ，画像データなどが記録されているメモリ・カード22を携帯電話１Ａに装填することにより，音声データ，画像データなどを携帯電話１Ａに格納することもできる。さらに，携帯電話１Ａには，撮像回路20が含まれており，この撮像回路20により，被写体（たとえば，携帯電話１Ａのユーザ）を撮像し，被写体像を表す画像データを携帯電話１Ａに格納することもできる。
【００２７】
携帯電話１Ａには，サーバ・アドレス・メモリ２，発呼ユーザ・ファイル・メモリ３および着信ユーザ・メモリ４が含まれている。サーバ・アドレス・メモリ２は，アクセス可能なサーバ37などのアドレス（ＵＲＬ：uniform resouce locater）を記憶するものである。発呼ユーザ・ファイル・メモリ３は，携帯電話１Ａの所有者である発呼ユーザを表す画像ファイル，音声ファイルなどを記憶するものである。たとえば，発呼ユーザの顔の画像を表す画像ファイル，発呼ユーザの氏名を出力する音声ファイルなどである。着信ユーザ・メモリ４は，着信ユーザの情報を着信ユーザごとに多数記憶するものである。着信ユーザの情報には，着信ユーザの名前，電話番号電子メール・アドレスなどがある。
【００２８】
携帯電話１Ａには，ボタン，ジョグダイアルなどを含む入力装置16が設けられている。この入力装置16により着信ユーザの携帯電話１Ｂの電話番号等が入力される。入力装置16のボタンを用いて電話番号が入力されると，その電話番号を表す信号は，入力インターフェイス15を介して通話制御回路14に入力する。すると，送受信回路12により，入力された電話番号の電話が発呼される。ボタンにより，着信ユーザ・メモリ４に記憶されている電話番号の呼び出し指令が入力されると，電話番号制御回路11によって着信ユーザ検索回路10が制御される。着信ユーザ検索回路10によって，着信ユーザ・メモリ４に記憶されている着信ユーザ・データが読み取られる。読み取られた着信ユーザ・データは，着信ユーザ検索回路10，電話番号制御回路11を介して表示装置19に与えられる。表示装置19の表示画面上に，着信ユーザの情報が一覧で表示される。表示された着信ユーザの中から電話をかける相手がジョグダイアルによって指定される。指定された着信ユーザの電話が発呼されることとなる。
【００２９】
着信ユーザの電話と接続されると，マイクロフォン18から入力した音声は，音声データに変換され，送受信回路12に与えられる。音声データは，アンテナ13から着信ユーザの電話に送信されることとなる。
【００３０】
携帯電話１Ａに音声データが送信されると，アンテナ13によって受信され，送受信回路12に入力する。入力した音声データは，通話制御回路14を介してスピーカ17に与えられる。スピーカ17から，入力した音声データによって表される音声が出力される。
【００３１】
この実施例による携帯電話１Ａは，携帯電話のユーザが話した音声を表す音声データだけでなく，音声ファイル，画像ファイルなどのファイルも送受信することができる。
【００３２】
アンテナ13を介して送受信回路12においてファイルが受信されると，受信メモリ７に一時的に記憶される。受信メモリ７に記憶されたファイルは，受信ファイル解析回路６に与えられ，ファイルが音声ファイルか画像ファイルかが解析される。
【００３３】
受信したファイルが画像ファイルであれば，その画像ファイルが受信メモリ７から画像再生回路９に与えられ，画像再生処理が実行される。再生された画像ファイルが表示装置19に与えられることにより，受信した画像ファイルによって表される画像が表示装置19の表示画面上に表示される。
【００３４】
受信したファイルが音声ファイルであれば，受信メモリ７から音声再生回路８に与えられ，音声再生処理が実行される。再生された音声ファイルがスピーカ17に与えられることにより，受信した音声ファイルによって表される音声が出力される。
【００３５】
携帯電話１Ａは，ファイルを受信するだけでなく，ファイルを送信することもできる。入力装置に含まれるボタンによってファイル一覧表示指令が入力されると，発呼ユーザ・ファイル・メモリ３に記憶されているファイルのファイル名が表示装置19の表示画面上に一覧表示される。ジョグ・ダイアルによって，一覧表示されたファイル名の中から所望のファイル名が選択される。選択されたファイル名をもつファイルが発呼ユーザ・ファイル・メモリ３から読み出され，送信メモリ５に一時的に記憶される。選択されたファイルは，送信メモリ５から読み出され，送受信回路12を介してアンテナ13からサーバ37に送信される。ファイルの送信先は，あらかじめ指定されているのはいうまでもない。
【００３６】
図３および図４は，携帯電話１Ａから携帯電話１Ｂに発呼する処理手順を示している。
【００３７】
この処理は，発呼ユーザの携帯電話１Ａと着信ユーザの携帯電話１Ｂとの接続が確立する前に，携帯電話１Ａからサーバ37に発呼ユーザを表す画像／音声ファイル（画像ファイルおよび音声ファイル）をサーバ37に送信し，サーバ37から携帯電話１Ｂに送信するものである。着信ユーザは，携帯電話１Ｂに応答する前に発呼ユーザを表す画像が表示され，かつ音声が出力されるので，発呼ユーザを確認できる。
【００３８】
まず，上述したように発呼ユーザによって着信ユーザの携帯電話１Ｂの表示させたい画像および出力させたい音声が選択される（もちろん，画像または音声の一方でもよいのはいうまでもない）。画像／音声が選択されると，対応する画像／音声ファイルが，発呼ユーザ・ファイル・メモリ３から読み出され，送信メモリ５に一時的に記憶される。
【００３９】
また，入力装置16を用いて着信ユーザの携帯電話１Ｂの電話番号が入力または選択される。携帯電話１Ｂの発呼が開始される。
【００４０】
携帯電話１Ａが存在する位置を基地局エリアとする無線基地局31に携帯電話１Ａから発呼される。無線基地局31からの応答が携帯電話１Ａにおいて受信されると，サーバ呼出指令（複数のサーバ・アドレスが格納されていれば，あらかじめ定められていることとなろう）が携帯電話１Ａから無線基地局31に送信される。
【００４１】
携帯電話１Ａからのサーバ呼出指令が受信されると，無線基地局31からサーバ37にサーバ呼出指令が送信される。
【００４２】
サーバ37において呼出指令が受信されると，無線基地局31を介して発呼ユーザの携帯電話１Ａに応答したことを示すデータが送信される。すると，携帯電話１Ａとサーバ37との間で接続が確立する。
【００４３】
携帯電話１Ａとサーバ37との間で接続が確立すると，携帯電話１Ａの送信メモリ５に一時的に記憶されている画像／音声ファイルがサーバ37にアップロードされる。
【００４４】
画像／音声ファイルがサーバ37において受信されると，受信された画像／音声ファイルはサーバ37のメモリに携帯電話１Ａおよび着信先の携帯電話１Ｂに対応して記憶される。たとえば，携帯電話１Ａおよび携帯電話１Ｂの電話番号に対応して記憶される。携帯電話１Ａおよび１Ｂの電話番号は，携帯電話１Ａからサーバ37に画像／音声ファイルとリンクされて送信されているのはいうまでもない。発呼ユーザ１Ｂとサーバ37との接続が切断される。
【００４５】
つづいて，無線基地局31から事業者ネットワークを介して携帯電話１Ｂが存在する位置の基地局エリアをもつ無線基地局32が探し出される。探し出された無線基地局32に携帯電話１Ｂへの発呼指令が送信される。すると，無線基地局32から携帯電話１Ｂに発呼が行われる。
【００４６】
また，無線基地局32（無線基地局31でもよい）からサーバ37に呼出指令が送信される。呼出指令を受信したサーバ37から，無線基地局32に応答を示すデータが送信される。すると，携帯電話１Ｂとサーバ32との接続が確立する。
【００４７】
サーバ37から着信ユーザの携帯電話１Ｂに，発呼ユーザの携帯電話１Ａから送信された画像／音声ファイルがダウンロードされる。
【００４８】
着信ユーザの携帯電話１Ｂに，サーバ37から送信された画像／音声ファイルがダウンロードされると，その画像／音声ファイルによって表される画像が携帯電話１Ｂの表示装置の表示画面上に表示され，かつ音声がスピーカから繰り返し出力される。たとえば，画像ファイルが，携帯電話１Ａのユーザの顔の画像を表すものであれば，その表示された顔の画像を見ることにより，だれから電話がかかってきたかが一見して分かる。また，音声ファイルが，携帯電話１Ａのユーザの氏名を出力するもの（たとえば，「もしもし，××からの電話です。」など）であれば，出力された音声を聞くことにより，だれから電話がかかってきたかがわかる。このように，携帯電話１Ｂに応答する前に，着信ユーザは，電話をかけてきた発呼ユーザをすぐに確認できるようになる。
【００４９】
画像表示および音声出力があると，応答を示すデータが着信ユーザの携帯電話１Ｂから無線基地局32に送信される。すると，無線基地局32からサーバ37に切断要求が送信され，切断される。
【００５０】
携帯電話１Ｂとサーバ37とが切断されると，携帯電話１Ａおよび１Ｂに対応して記憶されている画像／音声ファイルがサーバ37から消去される。
【００５１】
また，携帯電話１Ｂに表示されている画像が消去され，繰り返し出力されている音声出力も停止する。その後着信ユーザが携帯電話１Ｂに応答することにより，携帯電話１Ａと１Ｂとの接続が確立する。
【００５２】
上述した実施例においては，携帯電話１Ａから携帯電話１Ｂに発呼するごとに，発呼ユーザを表す画像／音声ファイルが携帯電話１Ｂに送信される。発呼ごとに異なる画像表示および音声出力をさせることができるようになる。
【００５３】
図５は，携帯電話１Ａから携帯電話１Ｂに発呼する他の処理手順を示している。
【００５４】
この処理は，着信ユーザに送信すべき画像／音声ファイルをあらかじめサーバ37に記憶しておくものである。発呼ユーザによって携帯電話１Ａが送信設定モードに設定される。
【００５５】
この処理において，携帯電話１Ｂに送信すべき画像／音声ファイルは，あらかじめ選択されているものとする。
【００５６】
発呼ユーザの携帯電話１Ａから無線基地局31にサーバ呼出指令が送信される。サーバ呼出指令を受信した無線基地局31は，サーバ32にサーバ呼出指令を送信する。
【００５７】
サーバ32から応答を示すデータが無線基地局31に送信され，発呼ユーザの携帯電話１Ｂに送信される。携帯電話１Ｂとサーバ37との接続が確立する。
【００５８】
選択されている画像／音声ファイルが携帯電話１Ａからサーバ37にアップロードされる。
【００５９】
画像／音声ファイルがサーバ37において受信されると，アップロードした携帯電話１Ａに対応して記憶される。すると，携帯電話１Ａとサーバ37との接続が切断される。すると，送信設定モードも終了する。
【００６０】
着信ユーザの携帯電話１Ｂの電話番号が選択され，無線基地局31に発呼が行われる。
【００６１】
無線基地局31において携帯電話１Ｂへの応答を示すデータが送信され，着信ユーザの携帯電話１Ｂが存在する基地局エリアをもつ無線基地局32が探し出される。無線基地局32が見つかると，その無線基地局32から携帯電話１Ｂに発呼が行われる。また，無線基地局32からサーバ37に呼出指令が送信される。
【００６２】
サーバ37から無線基地局32に応答を示すデータが送信されると，着信ユーザの携帯電話１Ｂとサーバ37との接続が確立する。すると，サーバ37に記憶されている画像／音声ファイルのうち，発呼ユーザの携帯電話１Ａに対応する画像／音声ファイルが着信ユーザの携帯電話１Ｂにダウンロードされる。
【００６３】
着信ユーザの携帯電話１Ｂの表示装置の表示画面上に発呼ユーザを表す画像が表示され，かつ発呼ユーザの名前などが音声出力されることとなる。すると，携帯電話１Ｂから無線基地局32に応答を示すデータが送信される。
【００６４】
無線基地局32からサーバ37に切断要求指令が送信される。切断要求指令がサーバ37において受信されると，サーバ37と携帯電話１Ｂとの接続が切断される。
【００６５】
携帯電話１Ｂにおける着信ユーザを示す画像表示および音声出力が終了し，着信ユーザが携帯電話１Ｂに応答すると，携帯電話１Ａと１Ｂとの接続が確立する。
【００６６】
この処理においては，着信ユーザに発呼する度に画像／音声ファイルをサーバ37に送信する必要がないので，発呼ユーザの携帯電話１Ａと着信ユーザの携帯電話１Ｂとの接続が確立するまでの時間を短縮できる。
【図面の簡単な説明】
【図１】電話システムの電気的構成を示すブロック図である。
【図２】携帯電話の電気的構成を示すブロック図である。
【図３】発呼ユーザの携帯電話と着信ユーザの携帯電話との処理手順を示している。
【図４】発呼ユーザの携帯電話と着信ユーザの携帯電話との処理手順を示している。
【図５】発呼ユーザの携帯電話と着信ユーザの携帯電話との処理手順を示している。
【符号の説明】
１Ａ，１Ｂ  携帯電話
３  発呼ユーザ・ファイル・メモリ
４  着信ユーザ・メモリ
８  音声再生回路
９  画像再生回路
12  送受信回路
13  アンテナ
16  入力装置
17  スピーカ
18  マイクロフォン
19  表示装置
22  メモリ・カード
36  ＣＤ−ＲＯＭ
37  サーバ
【図１】
0003816787.tif 000002
【図２】
0003816787.tif 000003
【図３】
0003816787.tif 000004
【図４】
0003816787.tif 000005
【図５】
0003816787.tif 000006